【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
コンピュータに、媒体システムのリード・チャネルにおいて周期的ダイビット応答推定のための動作を実行させるためのプログラムであって、前記動作は、データセット・セパレータ・シーケンス及びデータセット・セパレータ・リードバック・シーケンスの電気通信の受信を含み、前記データセット・セパレータ・リードバック・シーケンスは前記リード・チャネルによる前記データセット・セパレータ・シーケンスのチャネル処理の関数であり、前記動作は、前記データセット・セパレータ・シーケンス及び前記データセット・セパレータ・リードバック・シーケンスの関数として周期的ダイビット応答ベクトルを生成する動作を含む、プログラム。
【請求項２】
プロセッサと、前記プロセッサと協働してリード・チャネルにおいて周期的ダイビット応答推定を行うように動作し得る命令を記憶するメモリと、を含むシステムであって、      前記命令は、前記システムをデータセット・セパレータ・シーケンス及びデータセット・セパレータ・リードバック・シーケンスの電気通信を受信する手段として機能させるために実行され、前記データセット・セパレータ・リードバック・シーケンスは前記リード・チャネルによる前記データセット・セパレータ・シーケンスのチャネル処理の関数であり、前記命令は、また、前記システムを前記データセット・セパレータ・シーケンスと前記データセット・セパレータ・リードバック・シーケンスとの関数として周期的ダイビット応答ベクトルを生成する手段として機能させるために実行される、システム。
【請求項３】
媒体システムのリード・チャネルにおけるダイビット応答推定のための方法であって、前記方法は、データセット・セパレータ・シーケンス及びデータセット・セパレータ・リードバック・シーケンスの電気通信を受信するステップを含み、前記データセット・セパレータ・リードバック・シーケンスは前記リード・チャネルによる前記データセット・セパレータ・シーケンスのチャネル処理の関数であり、      前記方法は、前記データセット・セパレータ・シーケンス及び前記データセット・セパレータ・リードバック・シーケンスの関数として周期的ダイビット応答ベクトルを生成するステップを更に含む、方法。
【請求項４】
前記データセット・セパレータ・リードバック・シーケンスの平均化されたサンプリングと前記周期的ダイビット応答ベクトルに基づく前記データセット・セパレータ・シーケンスのフィルタリングのサンプリングとの比較の関数としてエラー信号を生成するステップを更に含む、請求項３に記載の方法。
【請求項５】
前記データセット・セパレータ・シーケンスと前記データセット・セパレータ・リードバック・シーケンスとの関数として前記周期的ダイビット応答ベクトルを生成する前記ステップは、前記データセット・セパレータ・リードバック・シーケンスのサンプリングの関数としてデータセット・セパレータ・リードバック・ベクトルを生成するステップと、前記データセット・セパレータ・シーケンスのサンプリングの関数としてデータセット・セパレータ基準ベクトルを生成するステップと、前記データセット・セパレータ・リードバック・ベクトルと前記データセット・セパレータ基準ベクトルとの関数として前記周期的ダイビット応答ベクトルを生成するステップと、を含む、請求項３に記載の方法。
【請求項６】
前記データセット・セパレータ・リードバック・ベクトルと、前記周期的ダイビット応答ベクトルに基づく前記データセット・セパレータ・シーケンスのフィルタリングのサンプリングとの比較の関数としてエラー信号を生成するステップを更に含む、請求項５に記載の方法。
【請求項７】
前記データセット・セパレータ・リードバック・ベクトルと前記データセット・セパレータ基準ベクトルとの関数として前記周期的ダイビット応答ベクトルを生成する前記ステップは、前記データセット・セパレータ基準ベクトル及び前記データセット・セパレータ・リードバック・ベクトルに基づく対角行列の関数として前記周期的ダイビット応答ベクトルの奇数インデックスを生成するステップと、前記周期的ダイビット応答ベクトルの前記奇数インデックスの補間の関数として前記周期的ダイビット応答ベクトルの偶数インデックスを生成するステップと、を更に含む、請求項５に記載の方法。
【請求項８】
前記データセット・セパレータ・シーケンスと前記データセット・セパレータ・リードバック・シーケンスとの関数として前記周期的ダイビット応答ベクトルを生成する前記ステップは、前記データセット・セパレータ・リードバック・シーケンスの平均化されたサンプリングの離散的フーリエ変換の関数としてデータセット・セパレータ・リードバック複素ベクトルを生成するステップと、前記データセット・セパレータ・シーケンスのサンプリングの離散的フーリエ変換の関数としてデータセット・セパレータ基準複素ベクトルを生成するステップと、前記データセット・セパレータ・リードバック複素ベクトルと前記データセット・セパレータ基準複素ベクトルとの関数として周期的ダイビット応答複素ベクトルを生成するステップと、を含む、請求項３に記載の方法。
【請求項９】
前記データセット・セパレータ・シーケンスと前記データセット・セパレータ・リードバック・シーケンスとの関数として前記周期的ダイビット応答ベクトルを生成する前記ステップは、前記データセット・セパレータ基準複素ベクトルと前記データセット・セパレータ・リードバック複素ベクトルとに基づく対角行列の関数として前記周期的ダイビット応答複素ベクトルの奇数インデックスを生成するステップと、前記周期的ダイビット応答複素ベクトルの前記奇数インデックスの補間の関数として前記周期的ダイビット応答複素ベクトルの偶数インデックスを生成するステップと、前記周期的ダイビット応答複素ベクトルの離散的逆フーリエ変換の関数として前記周期的ダイビット応答ベクトルを生成するステップと、を更に含む、請求項８に記載の方法。
【請求項１０】
媒体システムであって、該媒体システムは、データセット・セパレータ・シーケンスの電気通信メッセージを受信するように動作し得るリード・チャネルを含んでおり、該リード・チャネルは、データセット・セパレータ・シーケンスのチャネル処理の関数としてデータセット・セパレータ・リードバック・シーケンスを生成するように更に動作することができ、前記媒体システムは、前記データセット・セパレータ・シーケンス及び前記データセット・セパレータ・リードバック・シーケンスの電気通信を受信するように動作し得る周期的ダイビット応答推定ジェネレータを含んでおり、該周期的ダイビット応答推定ジェネレータは、前記データセット・セパレータ・シーケンス及び前記データセット・セパレータ・リードバック・シーケンスの関数として周期的ダイビット応答ベクトルを生成するように更に動作することができる、媒体システム。
【請求項１１】
システムであって、該システムは、データセット・セパレータ・シーケンスとデータセット・セパレータ・リードバック・シーケンスとの電気通信を受信するように動作し得る周期的ダイビット応答推定ユニットを含み、前記データセット・セパレータ・リードバック・シーケンスは、リード・チャネルによる前記データセット・セパレータ・シーケンスのチャネル処理の関数であり、前記周期的ダイビット応答推定ユニットは、前記データセット・セパレータ・シーケンス及び前記データセット・セパレータ・リードバック・シーケンスの関数として周期的ダイビット応答ベクトルを生成するように更に動作することができ、前記システムは、前記データセット・セパレータ・シーケンス、前記データセット・セパレータ・リードバック・シーケンス、及び前記周期的ダイビット応答ベクトルの電気通信を受信するように動作し得る性能測定ユニットを含んでおり、前記性能測定ユニットは、前記データセット・リードバック、セパレータ・シーケンスのサンプリングと前記周期的ダイビット応答ベクトルに基づく前記データセット・セパレータ・シーケンスのフィルタリングのサンプリングとの比較の関数としてエラー信号を生成するように動作し得る、システム。
【請求項１２】
前記データセット・セパレータ・シーケンス及び前記データセット・セパレータ・リードバック・シーケンスの関数として前記周期的ダイビット応答推定ユニットが前記周期的ダイビット応答ベクトルを生成する前記動作は、前記データセット・セパレータ・リードバック・シーケンスの平均化されたサンプリングの関数としてデータセット・セパレータ・リードバック・ベクトルを生成する動作と、前記データセット・セパレータ・シーケンスのサンプリングの関数としてデータセット・セパレータ基準ベクトルを生成する動作と、      前記データセット・セパレータ・リードバック・ベクトル及び前記データセット・セパレータ基準ベクトルの関数として前記周期的ダイビット応答ベクトルを生成する動作と、を含む、請求項１１に記載のシステム。
【請求項１３】
前記性能測定ユニットによる前記データセット・セパレータ・リードバック・シーケンスの前記電気通信の前記受信は、前記データセット・セパレータ・リードバック・ベクトルの電気通信の受信を含み、前記データセット・セパレータ・シーケンスの平均化されたサンプリングと前記周期的ダイビット応答ベクトルに基づく前記データセット・セパレータ・シーケンスの前記フィルタリングの前記サンプリングとの比較の関数として前記エラー信号を生成する前記性能測定ユニットの前記動作は、前記データセット・セパレータ・リードバック・ベクトルと、前記周期的ダイビット応答ベクトルに基づく前記データセット・セパレータ・シーケンスの前記フィルタリングの前記サンプリングとの比較の関数として前記エラー信号を生成する動作を含む、請求項１２に記載のシステム。